(57)【要約】【課題】狭い空間に設置できるように排水の流路方向にコンパクトに構成された清掃口一体型管継手を提供できるようにする。【解決手段】清掃口一体型管継手１０は、管状に形成された流路部５６を備えた本体管部５０と、流路部５６の内周部の一部を形成し、本体管部５０から取り外されることにより流路部５６に清掃口６６を形成する中子部５２と、中子部５２の流路部５６の径方向外側に配置され、取外し可能な蓋部５４と、流路部５６の軸線方向の一端部側に形成されると共に、建物の外壁２４に貫通配置され、建物の屋内側から流路部５６に管材３６を接続可能な壁挿入部５８と、を含んで構成する。【選択図】図３
2020176428.tif 000002
【特許請求の範囲】
【請求項１】
管状に形成された流路部を備えた本体管部と、
前記流路部の内周部の一部を形成し、前記本体管部から取り外されることにより前記流路部に清掃口を形成する中子部と、
前記中子部の前記流路部の径方向外側に配置され、取外し可能な蓋部と、
前記流路部の軸線方向の一端部側に形成されると共に、建物の外壁に貫通配置され、前記建物の屋内側から前記流路部に管材を接続可能な壁挿入部と、
を含んで構成された清掃口一体型管継手。
【請求項２】
前記流路部は、前記軸線方向の一端部における流路方向と当該軸線方向の他端部における流路方向とが略直交するように屈曲された屈曲部を備える請求項１に記載の清掃口一体型管継手。
【請求項３】
前記中子部は、前記屈曲部の内周部の一部を形成する請求項２に記載の清掃口一体型管継手。
【請求項４】
前記本体管部は、全体形状が平坦状の底面を有する略箱状に形成されると共に、設置場所の床面に載置可能な請求項１から請求項３の何れか１項に記載の清掃口一体型管継手。
【請求項５】
前記蓋部は、前記本体管部の上面側に配置されると共に、前記本体管部の外側部の上端と前記本体管部に配置された前記蓋部の上端は、前記流路部の上端よりも上方側に位置する請求項４に記載の清掃口一体型管継手。
【請求項６】
前記本体管部は、軸線方向と直交する方向に並列に近接配置されると共に一体に形成された複数の前記流路部を備える請求項１から請求項５の何れか１項に記載の清掃口一体型管継手。
【請求項７】
前記蓋部は、前記中子部と一体で形成された請求項１から請求項６の何れか１項に記載の清掃口一体型管継手。
【発明の詳細な説明】
【技術分野】
【０００１】
本発明は、清掃口一体型管継手に関する。
【背景技術】
【０００２】
下記特許文献１には、接続した配管の内部が洗浄し易くなる継手が開示されている。継手は、管状に形成され、軸線方向両端部が水回り器具からの排水を流す管材に接続される本体管部と、本体管部に形成され、本体管部の軸線方向に沿った寸法が、軸線方向と交差する方向の寸法よりも長い清掃口と、清掃口に嵌合して清掃口を閉塞する中子を備える。
【先行技術文献】
【特許文献】
【０００３】
【特許文献１】特開２０１８−０２５０７３号公報
【発明の概要】
【発明が解決しようとする課題】
【０００４】
特許文献１に記載された継手を建物の外側からアクセス可能に設置することにより、管材の清掃を容易に行うことができる。しかしながら、清掃口と中子を備えた継手は、本体管部だけの継手と比べて寸法が増加する。継手を設置することができる建物の外側かつ隣接した場所は、例えば、メータボックスのような狭い空間であることが想定される。このような場所に、清掃口と中子を備えた継手を設置すると、設置場所の空間が占領される。なかでも、屋内側からの管材を継手に接続するためには、排水の流路方向に沿って所定の空間を設置場所に確保することが必要となる。このため、清掃口を備えた継手を排水の流路方向にコンパクトな構成にする上で改善の余地がある。
【０００５】
本発明は上記事実を考慮し、狭い空間に設置できるように排水の流路方向にコンパクトに構成された清掃口一体型管継手を得ることを目的とする。
【課題を解決するための手段】
【０００６】
請求項１に記載の清掃口一体型管継手は、管状に形成された流路部を備えた本体管部と、前記流路部の内周部の一部を形成し、前記本体管部から取り外されることにより前記流路部に清掃口を形成する中子部と、前記中子部の前記流路部の径方向外側に配置され、取外し可能な蓋部と、前記流路部の軸線方向の一端部側に形成されると共に、建物の外壁に貫通配置され、前記建物の屋内側から前記流路部に管材を接続可能な壁挿入部と、を含んで構成されている。
【０００７】
この清掃口一体型管継手によれば、本体管部は、管状に形成された流路部を備えている。このため、本体管部に、例えば排水管のような管材を接続することにより、流路部に排水を流すことができる。また、清掃口一体型管継手の本体管部には、中子部と蓋部が配置されている。このため、中子部と蓋部を取り外すことにより流路部に形成された清掃口から、例えば、洗浄ノズル等の洗浄用機材を流路部に接続された管材に挿入することができる。これにより、管材の内部を洗浄することができる。
【０００８】
さらに、この清掃口一体型管継手によれば、建物の外壁に貫通配置された壁挿入部は、屋内側からの管材を流路部に接続できるように構成されている。このため、清掃口一体型管継手を設置する屋外側の場所に、屋内側からの管材を継手に接続するための空間を設ける必要がない。これにより、清掃口一体型管継手を、排水の流路方向にコンパクトに構成することができる。
【０００９】
請求項２に記載の清掃口一体型管継手は、請求項１に記載の清掃口一体型管継手において、前記流路部は、前記軸線方向の一端部における流路方向と当該軸線方向の他端部における流路方向とが略直交するように屈曲された屈曲部を備えている。
【００１０】
この清掃口一体型管継手によれば、流路部には、軸線方向の一端部における流路方向と軸線方向の他端部における流路方向とが略直交するように屈曲された屈曲部により、配管構造における曲げ管部分が形成されている。このため、流路部の軸線方向のどちらかの端部に、曲げ管部分を備えた管材を接続する必要がない。これにより、清掃口一体型管継手を、排水の流路方向にコンパクトに構成することができる。
【００１１】
請求項３に記載の清掃口一体型管継手は、請求項２に記載の清掃口一体型管継手において、前記中子部は、前記屈曲部の内周部の一部を形成している。
【００１２】
この清掃口一体型管継手によれば、中子部は、屈曲部の内周部の一部を形成している。このため、中子部を本体管部から取り外すことにより、流路部の軸線方向の一端部に接続された管材と他端部に接続された管材の双方を見渡しやすくなると共にホース等の洗浄器具を挿入しやすくなる。これにより、排水の流路方向が狭い空間において、管材を洗浄する際の作業性を向上させることができる。
【００１３】
請求項４に記載の清掃口一体型管継手は、請求項１から請求項３の何れか１項に記載の清掃口一体型管継手において、前記本体管部は、全体形状が平坦状の底面を有する略箱状に形成されると共に、設置場所の床面に載置可能とされている。
【００１４】
この清掃口一体型管継手によれば、全体形状が、平坦状の底面を有する略箱状に形成された本体管部は、設置場所の床面に安定して載置することができる。さらに、管材を、支持具を設けることなく安定して本体管部に接続することができるため、清掃口一体型管継手を、排水の流路方向にコンパクトに構成することができる。
【００１５】
請求項５に記載の清掃口一体型管継手は、請求項４に記載の清掃口一体型管継手において、前記蓋部は、前記本体管部の上面側に配置されると共に、前記本体管部の外側部の上端と前記本体管部に配置された前記蓋部の上端は、前記流路部の上端よりも上方側に位置している。
【００１６】
この清掃口一体型管継手によれば、本体管部の外側部の上端と本体管部に配置された蓋部の上端は、流路部の上端部よりも上方側に位置するように本体管部に配置されている。このため、管材を洗浄するために中子部と蓋部を取り外した際に、排水が本体管部から零れることを抑制又は防止することができる。さらに、本体管部の上面側に蓋部が配置されているため、管材の洗浄を行う際の作業性を向上させることができる。
【００１７】
請求項６に記載の清掃口一体型管継手は、請求項１から請求項５の何れか１項に記載の清掃口一体型管継手において、前記本体管部は、軸線方向と直交する方向に並列に近接配置されると共に一体に形成された複数の前記流路部を備えている。
【００１８】
この清掃口一体型管継手によれば、本体管部は、軸線方向と直交する方向に並列に近接配置されると共に一体に形成された複数の流路部を備えている。このため、本体管部は、複数の流路部の流路と直交する方向に対してもコンパクトに構成されている。これにより、狭い設置場所に清掃口一体型管継手を設置することができる。
【００１９】
請求項７に記載の清掃口一体型管継手は、請求項１から請求項６の何れか１項に記載の清掃口一体型管継手において、前記蓋部は、前記中子部と一体で形成されている。
【００２０】
この清掃口一体型管継手によれば、一体で形成された蓋部と中子部は、蓋部と中子部が別個に設けられている場合と比べて、簡易に本体管部から取り付けと取り外しをすることができ、管材を洗浄する際の作業性を向上させることができる。
【発明の効果】
【００２１】
以上説明したように、本発明に係る清掃口一体型管継手は、狭い空間に設置できるように排水の流路方向にコンパクトに構成することができるという優れた効果を有する。
【図面の簡単な説明】
【００２２】
【図１】第１実施形態に係る清掃口一体型管継手を用いた排水システムの全体構成を示す側面図である。
【図２】第１実施形態に係る清掃口一体型管継手の斜視図である。
【図３】第１実施形態に係る清掃口一体型管継手の内部の平面図である。
【図４】図２に示される４−４線に沿って切断された清掃口一体型管継手の縦断面図である。
【図５】第１実施形態に係る清掃口一体型管継手の流入口側端部を示す正面図である。
【図６】第１実施形態に係る清掃口一体型管継手の流出口側端部を示す背面図である。
【図７】第２実施形態に係る清掃口一体型管継手を用いた排水システムの全体構成を示す側面図である。
【図８】第２実施形態に係る清掃口一体型管継手の斜視図である。
【図９】第２実施形態に係る清掃口一体型管継手の中子部の平面図である。
【図１０】図８に示される１０−１０線に沿って切断された清掃口一体型管継手の縦断面図である。
【図１１】第３実施形態に係る清掃口一体型管継手を用いた排水システムの全体構成を示す側面図である。
【図１２】第３実施形態に係る清掃口一体型管継手の斜視図である。
【図１３】第３実施形態に係る清掃口一体型管継手の中子部の平面図である。
【発明を実施するための形態】
【００２３】
（第１実施形態）
以下、図１から図６を用いて、本発明に係る清掃口一体型管継手の第１実施形態について説明する。図１には、本実施形態に係る清掃口一体型管継手１０が用いられたサイホン排水システム１２の全体構成が示されている。本実施形態に係るサイホン排水システム１２は、サイホン力を利用して水回り器具からの排水を効率よく排出する排水システムである。
【００２４】
（サイホン排水システム１２）
サイホン排水システム１２は、複数階で構成された集合住宅に用いられ、図１に示すように、排水を下方へ流す排水立て管２０を備えている。この排水立て管２０は、集合住宅の建物上下方向（鉛直方向）に延設され、集合住宅の各階の床スラブ２２を貫いている。なお、排水立て管２０は、住戸の内外を仕切る外壁２４の外側、例えば、メーターボックス２６の中に配置されている。なお、本実施形態のサイホン排水システム１２は、集合住宅に好適に用いられているが、これに限らず、集合住宅以外の戸建て住宅や工場等にも用いることができる。
【００２５】
集合住宅の各階の各戸には、水回り器具２８が設けられている。この水回り器具２８は、一例としてキッチンのシンクであり、排水方向下流側にディスポーザー３０及び排水トラップ３２が接続されている。排水トラップ３２の排水方向下流側には、Ｌ字状に形成された第１Ｌ字配管部材３４が配設されている。第１Ｌ字配管部材３４は、排水トラップ３２に接続されて建物上下方向に延設された鉛直部３４Ａと、鉛直部３４Ａに連続すると共に床スラブ２２の建物上方側に建物水平方向に沿って延設された水平部３４Ｂと、鉛直部３４Ａと水平部３４Ｂとを繋ぐ湾曲部３４Ｃを含んで構成されている。
【００２６】
第１Ｌ字配管部材３４の排水方向下流側には、第１Ｌ字配管部材３４に連続すると共に床スラブ２２の建物上方側において建物水平方向に延在された管材としての横引き管部材３６が配設されている。第１Ｌ字配管部材３４と横引き管部材３６とは、第１継手３８を介して接続されている。また、清掃口一体型管継手１０には、図２に示されるように、キッチン以外からの横引き管部材３６も接続されている。具体的には、洗面所、浴室、洗濯機の排水口、換気口及び通気口等からの横引き管部材３６が、清掃口一体型管継手１０に接続されている。
【００２７】
横引き管部材３６の排水方向下流側の端部は、外壁２４を貫通すると共に設置場所としてのメーターボックス２６の中に配設された清掃口一体型管継手１０の上流側端部に接続されている。また、清掃口一体型管継手１０の下流側端部には、略Ｌ字状に形成された管材としての第２Ｌ字配管部材４０が接続されている。
【００２８】
第２Ｌ字配管部材４０は、床スラブ２２の建物上方側において建物水平方向に延在された水平部４０Ａと、水平部４０Ａに連続すると共に床スラブ２２を貫通して建物下方側へ延設された鉛直部４０Ｂと、水平部４０Ａと鉛直部４０Ｂとを繋ぐ湾曲部４０Ｃと、を含んで構成されている。
【００２９】
第２Ｌ字配管部材４０の排水方向下流側には、建物上下方向に延在された竪管部材４２が配置されている。竪管部材４２は、排水方向上流側の端部が、第２継手４４を介して第２Ｌ字配管部材４０の鉛直部４０Ｂに接続されている。竪管部材４２の排水方向下流側の端部は、排水立て管２０の中間部に取付けられた合流継手４６に第３継手４８を介して接続されている。
【００３０】
本実施形態において、床スラブ２２の上に建物水平方向に沿って配設されている配管部分、具体的には第１Ｌ字配管部材３４の水平部３４Ｂ、横引き管部材３６及び第２Ｌ字配管部材４０の水平部４０Ａがサイホン排水システム１２の横引き管１２Ａとされている。また、第２Ｌ字配管部材４０の鉛直部４０Ｂと竪管部材４２がサイホン排水システム１２の竪管１２Ｂとされている。
【００３１】
（清掃口一体型管継手１０）
図２には、清掃口一体型管継手１０の斜視図が示されている。清掃口一体型管継手１０は、本体管部５０と、中子部５２と、蓋部５４と、壁挿入部５８と、を含んで構成されている。本実施形態に係る本体管部５０、中子部５２、蓋部５４及び壁挿入部５８は、合成樹脂で成形されている。本体管部５０は、全体形状が、平坦状の底面を有する略箱状に形成されると共に、メーターボックス２６の床面に載置されている。ここで、載置されているとは、清掃口一体型管継手１０内の本体管部５０（流路）を水平に保つことができる様に、安定した状態で床面に置かれていることを意味する。本体管部５０の外側部としての外枠部５０Ａは、略四角枠状に形成されており、外枠部５０Ａの上面（上端）は、本体管部５０における外枠部５０Ａの内周側部分よりも建物上方側に形成されている。なお、ここでは、本体管部５０、中子部５２、蓋部５４及び壁挿入部５８は、合成樹脂で成形されているとして説明するが、これに限らず、金属で成形されてもよい。
【００３２】
外枠部５０Ａの内周側には、中子部５２（図４参照）と一体形成された蓋部５４が配置されている。蓋部５４の上面は、本体管部５０の外枠部５０Ａの上面と略同一の高さ（建物上下方向の位置が略同一）となるように形成されている。
【００３３】
図３には、中子部５２と蓋部５４が取り外された本体管部５０が平面図で示されている。本体管部５０には、各々管状に形成された複数の流路部５６が設けられている。複数の流路部５６の外周部５６Ａは、隣り合う流路部５６の外周部５６Ａと一体に形成されている。このため、複数の流路部５６は、その軸線方向（流路方向）と略直交する方向に沿って並列に近接配置されている。
【００３４】
図２に示されるように、本体管部５０の軸線方向の一端部としての流路部５６の軸線方向（流路方向）の上流側端部には、壁挿入部５８が本体管部５０と一体で形成されている。流路部５６の軸線方向に沿って略角筒状に形成された壁挿入部５８は、外壁２４に貫通配置されている。具体的には、壁挿入部５８は、清掃口一体型管継手１０がメーターボックス２６に設置される際に、外壁２４に形成された開口部２４Ａに挿通されている。なお、ここでは、壁挿入部５８は、本体管部５０と一体で形成されていると説明したが、これに限らず、壁挿入部は、本体管部と別体で形成されて外壁に予め貫通配置されてもよい。
【００３５】
図４には、流路部５６の軸線方向（流路方向）略中間部における縦断面図が示されている。複数の流路部５６の内周形状は、横引き管部材３６へ向けて液体や空気を排出する屋内側の場所、具体的には、洗面所、浴室、洗濯機の排水口、換気口及び通気口等に応じて各々設定されている。具体的には、図３及び図４に示されるように、流路部５６は、上流側から下流側にかけて均一の内径を有する均一管形状Ｆ１や上流側から下流側にかけて内径が小さくなるように形成された絞り管形状Ｆ２に形成されている。
【００３６】
図３に示されるように、流路部５６の軸線方向（流路方向）の上流側端部には、流路部５６の一端部としての第１接続部６０が形成されている。また、図５には、清掃口一体型管継手１０を屋内側から見た正面図が示されている。第１接続部６０は、絞り管形状Ｆ２の流路部５６の上流側端部の外周側に流路部５６の軸線方向を軸方向とする略円筒状に形成されると共に、その内周形状が流路部５６の内周形状に沿って形成されている。均一管形状Ｆ１の流路部５６の上流側端部には、その外周側に流路部５６の軸線方向を軸方向とする略円筒状に形成されると共に、その内周形状が流路部５６の内周形状よりも径方向外側に形成された第１接続部６０が設けられている。また、絞り管形状Ｆ２の流路部５６に設けられた第１接続部６０の外周部には、図示しないＯリングが各々装着されている。均一管形状Ｆ１の流路部５６に設けられた第１接続部６０の内周部には、図示しないＯリングが装着されている。
【００３７】
図３に示されるように、各々の横引き管部材３６は、壁挿入部５８の内周側を通じて第１接続部６０の外周側に嵌め込まれることにより、絞り管形状Ｆ２の流路部５６と接続されている。また、均一管形状Ｆ１の流路部５６においては、第１接続部６０の内周側に嵌め込まれた横引き管部材３６と接続されている。複数の横引き管部材３６は、並列に近接配置された複数の流路部５６と接続されるため、軸線方向と略直交する方向に沿って並列に近接配置されている。また、各々の横引き管部材３６の先端（下流側端部）は、第１接続部６０の外周部又は内周部に装着された図示しないＯリングに当接されている。
【００３８】
流路部５６の軸線方向（流路方向）の下流側端部には、流路部５６の他端部としての第２接続部６２が形成されている。また、図６には、清掃口一体型管継手１０を屋外側から見た背面図が示されている。第２接続部６２は、流路部５６の下流側端部の外周側に流路部５６の軸線方向を軸方向とする略円筒状に形成されると共に、その内周形状が流路部５６の内周形状よりも径方向外側に形成されている。また、第２接続部６２の内周部には、図示しないＯリングが各々装着されている。
【００３９】
図３に示されるように、各々の第２Ｌ字配管部材４０の水平部４０Ａは、第２接続部６２の内周側に嵌め込まれることにより、流路部５６と接続されている。複数の第２Ｌ字配管部材４０の水平部４０Ａは、並列に近接配置された複数の流路部５６と接続されるため、軸線方向と略直交する方向に沿って並列に近接配置されている。また、各々の横引き管部材３６の先端（上流側端部）は、第２接続部６２の内周部に装着されたＯリングに当接されている。
【００４０】
図３に示されるように、蓋部５４と中子部５２が取り外された本体管部５０の内側には、流路部５６の一部が開放された清掃口６６が形成されている。清掃口６６を設けることにより、例えば、洗浄ノズル等の洗浄用機材を横引き管部材３６や第２Ｌ字配管部材４０に挿入することができる。中子部５２は、清掃をしない通常の使用時（排水時）には、図４に示されるように、清掃口６６の建物上方側に蓋部５４と一体で配置されている。中子部５２は、本体管部５０の内側に配置されることにより、流路部５６の建物上方側部分を形成する。これにより、流路部５６を管状に形成すると共に、流路部５６内部に排水を流すことができる。
【００４１】
図４に示されるように、中子部５２により形成された複数の流路部５６の径方向外側に、中子部５２と一体で形成された蓋部５４が配置されている。蓋部５４の上面は、本体管部５０の外枠部５０Ａの上面と略同一の高さに形成されており、本体管部５０の外枠部５０Ａの上端と蓋部５４の上面は、複数の流路部５６の上端よりも建物上方側に配置されている。
【００４２】
図２に示されるように、蓋部５４の上面において、流路方向と直交する方向の両端部には、蓋部５４の上面から本体管部５０の外枠部５０Ａに沿って略直角に折り曲げて形成された略板状の係合部６８が、蓋部５４と一体で形成されている。係合部６８の外枠部５０Ａ側の端部には、略四角形状に孔が貫通形成された係合孔６８Ａが設けられている。外枠部５０Ａにおいて、蓋部５４が本体管部５０に配置された際に係合孔６８Ａと対向する部分には、本体管部５０の外側へ向けて尖状に形成された係合爪部７０が形成されている。このため、蓋部５４が本体管部５０に配置された際に、係合爪部７０が係合孔６８Ａと係合する。これにより、本体管部５０の建物上方側に配置された蓋部５４が、本体管部５０に対して固定される。
【００４３】
（作用、効果）
次に、本実施形態に係る清掃口一体型管継手１０の作用並びに効果について説明する。
【００４４】
本実施形態に係る清掃口一体型管継手１０によれば、本体管部５０に形成された複数の流路部５６の軸線方向の上流側部は、水回り器具２８からの排水を流す横引き管部材３６と接続されている。また、複数の流路部５６の軸線方向の下流側部は、第２Ｌ字配管部材４０の水平部４０Ａと接続されている。これにより、水回り器具２８からの排水が屋外側へと流される。ここで、清掃口一体型管継手１０の本体管部５０には、取外し可能な中子部５２と蓋部５４が配置されている。本体管部５０から中子部５２と蓋部５４を取り外すことによって、本体管部５０の内側に清掃口６６が形成される。このため、清掃口６６から、例えば、洗浄ノズル等の洗浄用機材を横引き管部材３６や第２Ｌ字配管部材４０に挿入することができる。これにより、横引き管部材３６や第２Ｌ字配管部材４０の内部を洗浄することができる。
【００４５】
また、本実施形態に係る清掃口一体型管継手１０によれば、横引き管部材３６は、外壁２４に貫通配置された壁挿入部５８を通して第１接続部６０に接続される。このため、例えば、メーターボックス２６のような清掃口一体型管継手１０の設置場所に、屋内側から配置された横引き管部材３６を第１接続部６０に接続するための空間を設ける必要がない。これにより、清掃口一体型管継手１０を、排水の流路方向にコンパクトに構成してメーターボックス２６のような排水の流路方向に狭い場所に設置することができる。
【００４６】
さらに、本実施形態に係る清掃口一体型管継手１０によれば、本体管部５０の複数の流路部５６は、その外周部５６Ａを隣り合う流路部５６の外周部５６Ａと一体に形成されると共に、軸線方向と直交する方向に並列に近接配置されて形成されている。これにより、複数の流路部５６の流路と直交する方向に対してもコンパクトに本体管部５０を構成することができる。
【００４７】
以上説明したように、本実施形態に係る清掃口一体型管継手１０は、メーターボックス２６のような狭い空間に設置できるように排水の流路方向にコンパクトに構成することができる。
【００４８】
さらに、本実施形態に係る清掃口一体型管継手１０によれば、本体管部５０は、外周形状が略箱状に形成されている。このため、メーターボックス２６の床面に載置することができる。また、本体管部５０を床面に安定して配置できるため、第１接続部６０に取り付けられる横引き管部材３６と第２接続部６２に取り付けられる第２Ｌ字配管部材４０を、支持具を設けることなく清掃口一体型管継手１０に接続することができる。
【００４９】
また、本実施形態に係る清掃口一体型管継手１０によれば、蓋部５４は、中子部５２と一体で形成されて、本体管部５０の上面側に配置されている。このため、横引き管部材３６や第２Ｌ字配管部材４０を洗浄する際に、蓋部５４と中子部５２を一体で取り外して清掃口６６を形成することができる。これにより、横引き管部材３６や第２Ｌ字配管部材４０を洗浄する際の作業性を向上させることができる。さらに、本体管部５０の外側部の上端と本体管部５０に配置された蓋部５４の上端は、複数の流路部５６の上端部よりも上方側に位置するように本体管部５０に配置されている。このため、横引き管部材３６や第２Ｌ字配管部材４０を洗浄するために中子部５２と蓋部５４を取り外した際に、排水が本体管部５０から零れることを抑制又は防止することができる。
【００５０】
なお、ここでは、蓋部５４と中子部５２は、一体で形成されているとして説明したが、これに限らず、蓋部と中子部は、別体で形成されて、本体管部の上面側に配置されてもよい（図４中の二点鎖線）。
【００５１】
また、ここでは、清掃口一体型管継手１０には、複数の流路部５６を備え、複数の管材３６、４０が接続されているとして説明したが、これに限らず、清掃口一体型管継手は、一つの流路部だけで構成されてもよい。
【００５２】
（第２実施形態）
次に、図７から図１０を用いて、本発明に係る清掃口一体型管継手の第２実施形態について説明する。なお、前述した第１実施形態と同一構成部分については、同一番号を付してその説明を省略する。
【００５３】
本実施形態に係る清掃口一体型管継手８０によれば、図７及び図８に示されるように、流路部５６の下流側端部は、本体管部５０の下面側に形成されている。流路部５６の下流側端部には、竪管部材４２が接続されている。これにより、水回り器具２８からの排水が屋外側へと排水されている。
【００５４】
このため、流路部５６には、配管構造における曲げ管部分が形成されている。具体的には、図９及び図１０に示されるように、流路部５６は、その一部となる下流側端部に、第１接続部６０側（屋内側）の端部における流路方向と下流側（屋外側）端部における流路方向が略直交するように屈曲された屈曲部８２を備えている。屈曲部８２は、合成樹脂で構成されると共に、流路部５６から取外し可能に形成されている。
【００５５】
屈曲部８２は、図７及び図８に示されるように、本体管部５０の下面側を貫通すると共に床スラブ２２を通じて建物下方側へ延設されている。建物下方側へ延設された屈曲部８２（流路部５６）の下端部（下流側端部）には、第２接続部８４が形成されている。第２接続部８４は、屈曲部８２の下端部における流路部５６の外周側に、流路部５６の軸線方向を軸方向とする略円筒状に形成されると共に、その内周形状が流路部５６の内周形状よりも径方向外側に形成されている。また、第２接続部８４の内周部には、図示しないＯリングが各々装着されている。竪管部材４２は、第２接続部８４に建物下方側から嵌入されることにより、流路部５６と接続されている。
【００５６】
図１０に示されるように、本体管部５０の内側かつ上面側に一体で配置された中子部５２と蓋部５４は、屈曲部８２の建物上方側部分５２Ａ、５４Ａを形成する。この屈曲部８２の建物上方側部分５２Ａ、５４Ａは、中子部５２と蓋部５４の他の部分とは別個に形成されている。このため、本体管部５０から中子部５２と蓋部５４の屈曲部８２の建物上方側部分５２Ａ、５４Ａだけを取り外して清掃口６６を形成することができる。
【００５７】
本実施形態に係る清掃口一体型管継手１０によれば、横引き管部材３６は、外壁２４に貫通配置された壁挿入部５８を通して第１接続部６０に接続される。このため、屋内側から配置された横引き管部材３６を第１接続部６０に接続するための空間をメーターボックス２６に設ける必要がない。これにより、清掃口一体型管継手１０を、排水の流路方向にコンパクトに構成してメーターボックス２６のような排水の流路方向に狭い場所に設置することができる。
【００５８】
さらに、本実施形態に係る清掃口一体型管継手８０によれば、流路部５６は、第１接続部６０側の端部における流路方向と第２接続部８４側の端部における流路方向とが略直交するように屈曲された屈曲部８２を備えている。このため、流路部５６下流側端部に設けられた第２接続部８４に接続する管材には、曲げ管部分を設ける必要がない。さらに、本体管部５０の流路方向の屋外側端部に管材を配設する必要がない。これにより、清掃口一体型管継手８０を排水の流路方向に更にコンパクトにすることができる。
【００５９】
また、本実施形態に係る清掃口一体型管継手８０によれば、図１０に示されるように、中子部５２は、屈曲部８２を含んで形成されている。このため、流路部５６の軸線方向の一端部に接続された管材と他端部に接続された管材の双方を見渡しやすくなると共にホース等の洗浄器具を挿入しやすくなる。これにより、管材を洗浄する際の作業性を向上させることができる。また、中子部５２と蓋部５４は、屈曲部８２の建物上方側部分５２Ａ、５４Ａが、他の部分とは別体で形成されているため、第２接続部８４側（竪管部材４２側）だけを清掃する際に、中子部５２と蓋部５４の取り外しを簡便にすることができる。
【００６０】
なお、本実施形態では、蓋部５４と中子部５２は、屈曲部８２の建物上方側部分５２Ａ、５４Ａが別体で形成されているとして説明したが、これに限らず、蓋部と中子部は、屈曲部側も含めて全て一体で形成されて、本体管部の上面側に配置されてもよい。
【００６１】
（第３実施形態）
次に、図１１から図１３を用いて、本発明に係る清掃口一体型管継手の第３実施形態について説明する。なお、前述した第１実施形態と同一構成部分については、同一番号を付してその説明を省略する。
【００６２】
本実施形態に係る清掃口一体型管継手９０によれば、図１３に示されるように、壁挿入部９２の内側に流路部５６が形成されている。この流路部５６は、本体管部５０に形成された流路部５６と連続して一体で形成されている。このため、流路部５６は、本体管部５０から壁挿入部９２に亘って形成されている。これにより、第１接続部６０は、壁挿入部９２の上流側端部（屋内側端部）に形成されている。
【００６３】
本実施形態に係る清掃口一体型管継手９０によれば、図１１及び図１２に示されるように、本体管部５０に形成された複数の流路部５６は、横引き管部材３６と第２Ｌ字配管部材４０に接続されている。これにより、水回り器具２８からの排水が屋外側へと流される。ここで、清掃口一体型管継手９０の本体管部５０には、取外し可能な中子部５２と蓋部５４が配置されている。本体管部５０から中子部５２と蓋部５４を取り外すことによって、本体管部５０の内側に清掃口６６が形成される。このため、清掃口６６から、例えば、洗浄ノズル等の洗浄用機材を横引き管部材３６や第２Ｌ字配管部材４０に挿入することができる。これにより、横引き管部材３６や第２Ｌ字配管部材４０の内部を洗浄することができる。
【００６４】
さらに、本実施形態に係る清掃口一体型管継手９０によれば、横引き管部材３６は、外壁２４に貫通配置された壁挿入部９２に形成された第１接続部６０に接続される。このため、屋内側から配置された横引き管部材３６を第１接続部６０に接続するための空間をメーターボックス２６に設ける必要がない。これにより、清掃口一体型管継手１０を、排水の流路方向にコンパクトに構成してメーターボックス２６のような排水の流路方向に狭い場所に設置することができる。さらに、横引き管部材３６を、外壁２４に通すことなく第１接続部６０に簡便に接続することができる。
【００６５】
なお、ここでは、清掃口一体型管継手９０には、複数の流路部５６を備え、複数の管材３６、４０が接続されているとして説明したが、これに限らず、清掃口一体型管継手は、一つの流路部だけで構成されてもよい。
【００６６】
また、ここでは、清掃口一体型管継手９０の第１接続部６０は、外壁２４の内部又は屋内側に設けられているとして説明したが、これに限らず、第１接続部は、屋外側に設けられてもよい。
【００６７】
［その他の実施形態］
以上、本発明の一実施形態について説明したが、本発明は、上記に限定されるものでなく、上記以外にも、その主旨を逸脱しない範囲内において種々変形して実施可能であることは勿論である。
【符号の説明】
【００６８】
１０、８０、９０…清掃口一体型管継手、２４…外壁、２６…メーターボックス（設置場所）、３６…横引き管部材（管材）、４０…第２Ｌ字配管部材（管材）、５０…本体管部、５０Ａ…外枠部（外側部）、５２…中子部、５４…蓋部、５６…流路部、５８、９２…壁挿入部、６６…清掃口、８２…屈曲部
【図１】
2020176428.tif 000003
【図２】
2020176428.tif 000004
【図３】
2020176428.tif 000005
【図４】
2020176428.tif 000006
【図５】
2020176428.tif 000007
【図６】
2020176428.tif 000008
【図７】
2020176428.tif 000009
【図８】
2020176428.tif 000010
【図９】
2020176428.tif 000011
【図１０】
2020176428.tif 000012
【図１１】
2020176428.tif 000013
【図１２】
2020176428.tif 000014
【図１３】
2020176428.tif 000015